(57)【要約】【課題】複数の広告に対して、事前に設定された表示機会、表示時間の通り表示することができ、特に、コンピュータ貸与サービスで使用される顧客用端末上で広告効果の高い広告表示システム等を提供する。【解決手段】顧客用端末５は、サーバ３からカテゴリ情報に応じて広告情報を取得し、取得した広告情報の数に応じてバナー広告の表示方式を決定する。そして、顧客用端末５は、決定した表示方式によって、広告情報をバナー広告としてデスクトップの所定位置にスクロール表示する。また、顧客用端末５は、バナー広告以外のウィンドウがアクティブになったかどうかを常に監視し、バナー広告以外のウィンドウがアクティブになった場合、バナー広告を最前面に表示する。【選択図】図１
2008287583.tif 000002
【特許請求の範囲】
【請求項１】
サーバと顧客用端末とがネットワークを介して接続されたシステムであって、
前記サーバは、
広告情報を保持する広告情報保持手段、
を具備し、
前記顧客用端末は、
前記サーバから前記広告情報を取得する広告情報取得手段と、
前記広告情報をバナー広告としてデスクトップの所定位置にスクロール表示し、常に最前面に前記バナー広告を表示するバナー広告表示手段と、
を具備することを特徴とする広告表示システム。
【請求項２】
前記顧客用端末は、
前記広告情報の数に応じてバナー広告の表示方式を決定する表示方式決定手段、
を更に具備し、
前記バナー広告表示手段は、前記表示方式決定手段が決定した表示方式によってバナー広告を表示することを特徴とする請求項１に記載の広告表示システム。
【請求項３】
前記広告情報取得手段は、カテゴリ情報に応じて広告情報を取得することを特徴とする請求項１または請求項２に記載の広告表示システム。
【請求項４】
サーバと受付用端末と顧客用端末とがネットワークを介して接続されたシステムであって、
前記サーバは、
広告情報を保持する広告情報保持手段、
を具備し、
前記受付用端末は、
前記顧客用端末を利用する顧客の受付を行う顧客受付手段、
を具備し、
前記顧客用端末は、
前記受付用端末から、顧客情報を取得する顧客情報取得手段と、
前記サーバから、前記顧客情報を含むカテゴリ情報に応じて広告情報を取得する広告情報取得手段と、
前記広告情報をバナー広告としてデスクトップの所定位置にスクロール表示し、常に最前面に前記バナー広告を表示するバナー広告表示手段と、
を具備することを特徴とする広告表示システム。
【請求項５】
前記顧客用端末は、
バナー広告に対するクリック操作ログを前記顧客情報と紐付けて保持する操作ログ保持手段、
を更に具備することを特徴とする請求項４に記載の広告表示システム。
【請求項６】
広告情報を保持するサーバと、ネットワークを介して接続された顧客用端末であって、
前記サーバから前記広告情報を取得する広告情報取得手段と、
前記広告情報をバナー広告としてデスクトップの所定位置にスクロール表示し、常に最前面に前記バナー広告を表示するバナー広告表示手段と、
を具備することを特徴とする顧客用端末。
【請求項７】
前記広告情報の数に応じてバナー広告の表示方式を決定する表示方式決定手段、
を更に具備し、
前記バナー広告表示手段は、前記表示方式決定手段が決定した表示方式によってバナー広告を表示することを特徴とする請求項６に記載の顧客用端末。
【請求項８】
前記広告情報取得手段は、カテゴリ情報に応じて広告情報を取得することを特徴とする請求項６または請求項７に記載の顧客用端末。
【請求項９】
広告情報を保持するサーバと、顧客の受付を行う受付用端末と、ネットワークを介して接続された顧客用端末であって、
前記受付用端末から、顧客情報を取得する顧客情報取得手段と、
前記サーバから、前記顧客情報を含むカテゴリ情報に応じて広告情報を取得する広告情報取得手段と、
前記広告情報をバナー広告としてデスクトップの所定位置にスクロール表示し、常に最前面に前記バナー広告を表示するバナー広告表示手段と、
を具備することを特徴とする顧客用端末。
【請求項１０】
バナー広告に対するクリック操作ログを前記顧客情報と紐付けて保持する操作ログ保持手段、
を更に具備することを特徴とする請求項９に記載の顧客用端末。
【請求項１１】
コンピュータを請求項６から請求項１０までのいずれかに記載の顧客用端末として機能させるプログラム。
【発明の詳細な説明】
【技術分野】
【０００１】
本発明は、顧客が利用する端末のデスクトップにバナー広告を表示する広告表示システム、顧客用端末、及びそのプログラムに関するものである。
【背景技術】
【０００２】
近年、インターネット上のウェブページに広告を掲載することが一般的になっている。その中で、画像によって広告内容を表示し、画像に広告主のウェブサイトへのリンクが貼られているものが、一般にバナー広告と呼ばれている。
ウェブページにバナー広告を掲載する場合、通常は、掲載するバナー広告がウェブページごとに固定化されるため、ウェブページの閲覧数によってバナー広告の表示機会に差が出ることになる。また、バナー広告が掲載されているウェブページを表示後、すぐにバナー広告以外のリンクをクリックされることもあり、表示時間にも差が出ることになる。このように、ＴＶのＣＭや街の電光掲示板等とは異なり、ウェブページ上の広告では、表示機会、表示時間を事前に設定することができない。
【０００３】
このような課題を解決する仕組みとして、特許文献１がある。
特許文献１では、ブラウザ画面（ウェブページ閲覧ソフトが表示する画面）を、通常のウェブページを表示する領域と、バナー広告を表示する領域と、に分割し、バナー広告表示のスケジュール管理を行っている。これによって、事前に設定された表示機会、表示時間に従い、ブラウザ画面上でバナー広告を表示することを可能としている。
【特許文献１】特開２００６−１８６７８号公報
【発明の開示】
【発明が解決しようとする課題】
【０００４】
しかしながら、特許文献１による仕組みでは、例えば、他のアプリケーションソフト（例えば、メールソフトや表計算ソフト等）による画面が表示された場合、ブラウザ画面が隠れてしまい、バナー広告自体も利用者の目に入らないことになる。これでは、事前に設定された表示機会、表示時間の中に、広告としての機能を果たしていない状態も含まれてしまい、正確にスケジュール管理をしているとは言えない。
【０００５】
また、近年では、インターネットカフェと呼ばれる店舗等において、コンピュータ端末を顧客に貸与するサービスが行われている。しかしながら、こうしたサービスで使用される顧客用端末上において、ウェブページ上の広告と比して広告効果の高い広告表示システムは存在していない。
【０００６】
本発明は、前述した問題点に鑑みてなされたもので、その目的は、複数の広告に対して、事前に設定された表示機会、表示時間の通り表示することができ、特に、コンピュータ貸与サービスで使用される顧客用端末上で広告効果の高い広告表示システム等を提供することである。
【課題を解決するための手段】
【０００７】
前述した目的を達成するために第１の発明は、サーバと顧客用端末とがネットワークを介して接続されたシステムであって、前記サーバは、広告情報を保持する広告情報保持手段、を具備し、前記顧客用端末は、前記サーバから前記広告情報を取得する広告情報取得手段と、前記広告情報をバナー広告としてデスクトップの所定位置にスクロール表示し、常に最前面に前記バナー広告を表示するバナー広告表示手段と、を具備することを特徴とする広告表示システムである。
【０００８】
第１の発明は、更に、前記顧客用端末が、前記広告情報の数に応じてバナー広告の表示方式を決定する表示方式決定手段、を具備し、前記バナー広告表示手段が、前記表示方式決定手段が決定した表示方式によってバナー広告を表示することが望ましい。
また、第１の発明は、前記広告情報取得手段が、カテゴリ情報に応じて広告情報を取得することが望ましい。
【０００９】
第２の発明は、サーバと受付用端末と顧客用端末とがネットワークを介して接続されたシステムであって、前記サーバは、広告情報を保持する広告情報保持手段、を具備し、前記受付用端末は、前記顧客用端末を利用する顧客の受付を行う顧客受付手段、を具備し、前記顧客用端末は、前記受付用端末から、顧客情報を取得する顧客情報取得手段と、前記サーバから、前記顧客情報を含むカテゴリ情報に応じて広告情報を取得する広告情報取得手段と、前記広告情報をバナー広告としてデスクトップの所定位置にスクロール表示し、常に最前面に前記バナー広告を表示するバナー広告表示手段と、を具備することを特徴とする広告表示システムである。
【００１０】
第２の発明は、更に、前記顧客用端末が、バナー広告に対するクリック操作ログを前記顧客情報と紐付けて保持する操作ログ保持手段、を具備することが望ましい。
【００１１】
第３の発明は、広告情報を保持するサーバと、ネットワークを介して接続された顧客用端末であって、前記サーバから前記広告情報を取得する広告情報取得手段と、前記広告情報をバナー広告としてデスクトップの所定位置にスクロール表示し、常に最前面に前記バナー広告を表示するバナー広告表示手段と、を具備することを特徴とする顧客用端末である。
【００１２】
第４の発明は、広告情報を保持するサーバと、顧客の受付を行う受付用端末と、ネットワークを介して接続された顧客用端末であって、前記受付用端末から、顧客情報を取得する顧客情報取得手段と、前記サーバから、前記顧客情報を含むカテゴリ情報に応じて広告情報を取得する広告情報取得手段と、前記広告情報をバナー広告としてデスクトップの所定位置にスクロール表示し、常に最前面に前記バナー広告を表示するバナー広告表示手段と、を具備することを特徴とする顧客用端末である。
【００１３】
第５の発明は、コンピュータを第３の発明または第４の発明に記載の顧客用端末として機能させるプログラムである。
【発明の効果】
【００１４】
本発明により、複数の広告に対して、事前に設定された表示機会、表示時間の通り表示することができ、特に、コンピュータ貸与サービスで使用される顧客用端末上で広告効果の高い広告表示システム等を提供することができる。
【発明を実施するための最良の形態】
【００１５】
以下図面に基づいて、本発明の実施形態を詳細に説明する。
【００１６】
まず、第１の実施の形態について説明する。
図１は、広告表示システム１の構成図である。
広告表示システム１は、サーバ３、複数の顧客用端末５がネットワーク９を介して接続されて構成される。
【００１７】
サーバ３は、広告情報保持手段１１等を備える。広告情報保持手段１１は、広告表示システム１で表示する広告を一意に識別する広告ＩＤ、広告画像、広告がクリックされたときのリンク情報等を含む広告情報を保持する。
【００１８】
顧客用端末５は、パーソナルコンピュータ等であり、コンピュータ貸与サービスを行う店舗に設置される。通常、複数の顧客用端末５がネットワーク９に接続される。顧客用端末５は、広告情報取得手段１３、表示方式決定手段１５、バナー広告表示手段１７等を備える。
【００１９】
広告情報取得手段１３は、サーバ３から広告情報を取得する。表示方式決定手段１５は、広告情報の数に応じてバナー広告の表示方式を決定する。バナー広告表示手段１７は、広告情報をバナー広告としてデスクトップの所定位置にスクロール表示し、常に最前面にバナー広告を表示する。
【００２０】
次に、図２を参照しながら、バナー広告の表示について説明する。
図２は、バナー広告４１の表示の一例を示す図である。
図２に示すように、顧客用端末５のデスクトップ３１上には、スタートボタン３３、タスクバー３５、タスクトレイ３７、各種のアイコン３９、バナー広告４１等が配置される。スタートボタン３３は、各種設定項目やアプリケーションソフト等にアクセスするためのボタンである。タスクバー３５は、現在作業しているアプリケーション等を表示する領域である。タスクトレイ３７は、時刻や常駐ソフトウェア等を表示する領域である。アイコン３９は、各種設定項目やアプリケーションソフト等の起動をするための小さな画像である。バナー広告４１は、広告主の広告画像を表示する領域である。
本実施の形態では、バナー広告４１は、ブラウザ画面上ではなく、デスクトップ３１上の所定の位置に表示する。図２では、画面の下部に配置しているが、適宜、画面の上部や右部等に移動することができる。
【００２１】
次に、図３及び図４を参照しながら、サーバ３及び顧客用端末５のハードウェア構成について説明する。
【００２２】
図３は、サーバ３のハードウェア構成図である。尚、図３のハードウェア構成は一例であり、用途、目的に応じて様々な構成を採ることが可能である。
サーバ３は、制御部５１、記憶部５２、メディア入出力部５３、通信制御部５４、入力部５５、表示部５６、周辺機器Ｉ／Ｆ部５７等が、バス５８を介して接続されて構成される。
【００２３】
制御部５１は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等で構成される。
【００２４】
ＣＰＵは、記憶部５２、ＲＯＭ、記録媒体等に格納されるプログラムをＲＡＭ上のワークメモリ領域に呼び出して実行し、バス５８を介して接続された各装置を駆動制御し、サーバ３が行う後述する処理を実現する。
ＲＯＭは、不揮発性メモリであり、コンピュータのブートプログラムやＢＩＯＳ等のプログラム、データ等を恒久的に保持している。
ＲＡＭは、揮発性メモリであり、記憶部５２、ＲＯＭ、記録媒体等からロードしたプログラム、データ等を一時的に保持するとともに、制御部５１が各種処理を行う為に使用するワークエリアを備える。
【００２５】
記憶部５２は、ＨＤＤ（ハードディスクドライブ）であり、制御部５１が実行するプログラム、プログラム実行に必要なデータ、ＯＳ（オペレーティングシステム）等が格納される。プログラムに関しては、ＯＳ（オペレーティングシステム）に相当する制御プログラムや、後述の処理に相当するアプリケーションプログラムが格納されている。
これらの各プログラムコードは、制御部５１により必要に応じて読み出されてＲＡＭに移され、ＣＰＵに読み出されて各種の手段として実行される。
【００２６】
メディア入出力部５３（ドライブ装置）は、データの入出力を行い、例えば、フロッピー（登録商標）ディスクドライブ、ＣＤドライブ（−ＲＯＭ、−Ｒ、ＲＷ等）、ＤＶＤドライブ（−ＲＯＭ、−Ｒ、−ＲＷ等）、ＭＯドライブ等のメディア入出力装置を有する。
【００２７】
通信制御部５４は、通信制御装置、通信ポート等を有し、コンピュータとネットワーク９間の通信を媒介する通信インタフェースであり、ネットワーク９を介して、他のコンピュータ間との通信制御を行う。
【００２８】
入力部５５は、データの入力を行い、例えば、キーボード、マウス等のポインティングデバイス、テンキー等の入力装置を有する。
入力部５５を介して、コンピュータに対して、操作指示、動作指示、データ入力等を行うことができる。
【００２９】
表示部５６は、ＣＲＴモニタ、液晶パネル等のディスプレイ装置、ディスプレイ装置と連携してコンピュータのビデオ機能を実現するための論理回路等（ビデオアダプタ等）を有する。
【００３０】
周辺機器Ｉ／Ｆ（インタフェース）部５７は、コンピュータに周辺機器を接続させるためのポートであり、周辺機器Ｉ／Ｆ部５７を介してコンピュータは周辺機器とのデータの送受信を行う。周辺機器Ｉ／Ｆ部５７は、ＵＳＢやＩＥＥＥ１３９４やＲＳ−２３２Ｃ等で構成されており、通常複数の周辺機器Ｉ／Ｆを有する。周辺機器との接続形態は有線、無線を問わない。
【００３１】
バス５８は、各装置間の制御信号、データ信号等の授受を媒介する経路である。
【００３２】
図４は、顧客用端末５のハードウェア構成図である。
尚、図４のハードウェア構成は一例であり、用途、目的に応じて様々な構成を採ることが可能である。
【００３３】
顧客用端末５は、制御部６１、記憶部６２、メディア入出力部６３、通信制御部６４、入力部６５、表示部６６、周辺機器Ｉ／Ｆ部６７等が、バス６８を介して接続されて構成される。
顧客用端末５のハードウェア構成は、図３を用いて前述したサーバ３と同様の構成を採ることから、詳細な説明を省略する。
【００３４】
次に、図５から図１１までを参照しながら、広告表示システム１の動作について説明する。
図５は、広告情報取得処理の流れを示すフローチャートである。広告情報取得処理は、主に顧客用端末５の広告情報取得手段１３によって行われる。
【００３５】
図５に示すように、顧客用端末５の制御部６１は、サーバ３に更新情報取得命令を送信する（Ｓ１０１）。更新情報とは、サーバ３が保持する広告情報が前回取得時から更新されているかを示す情報である。更新情報は、例えば、広告情報に含まれる画像ファイルの更新日時情報等である。
【００３６】
次に、サーバ３の制御部５１は、顧客用端末５に更新情報を送信する（Ｓ１０２）。サーバ３の制御部５１は、更新情報として広告情報に含まれる画像ファイルの更新日時情報を送信する場合、例えば、対象の広告情報の中で最も新しい更新日時情報だけを送信するようにしても良い。
【００３７】
次に、顧客用端末５の制御部６１は、サーバ３が保持する広告情報が更新されているかどうか確認する（Ｓ１０３）。顧客用端末５の制御部６１は、例えば、対象の広告情報の中で最も新しい更新日時情報を受信した場合、顧客用端末５の記憶部６２が保持する画像ファイルの更新日時情報と比較し、広告情報が更新されているかどうか確認する。
更新されていない場合、Ｓ１０９に進む。
更新されている場合、Ｓ１０４に進む。
【００３８】
次に、顧客用端末５の制御部６１は、取得する広告情報のカテゴリを決定する（Ｓ１０４）。広告情報のカテゴリとは、例えば、全ての顧客に対して表示する広告を示す「全て」、特定地域の顧客に対して表示する広告を示す「地域」、特定時間帯の顧客に対して表示する広告を示す「時間帯」等、広告情報を分類するものである。そして、顧客用端末５の制御部６１は、各カテゴリの値であるカテゴリ情報を決定する。例えば、カテゴリ「地域」に対するカテゴリ情報は、顧客用端末５が設置される店舗の都道府県、または市区町村等の情報であり、該当の顧客用端末５の記憶部６２に記憶しておく。また、例えば、カテゴリ「時間帯」に対するカテゴリ情報は、顧客用端末５の制御部６１が現在時刻を取得して決定する。
【００３９】
次に、顧客用端末５の制御部６１は、Ｓ１０４で決定したカテゴリ情報に応じて広告情報取得命令を送信する（Ｓ１０５）。
次に、サーバ３の制御部５１は、顧客用端末５に広告情報を送信する（Ｓ１０６）。送信する広告情報は、Ｓ１０４で決定したカテゴリ情報に応じたものである。例えば、Ｓ１０４でカテゴリ情報「東京都」と決定した場合、東京都の店舗の顧客に対して表示する広告の広告情報を送信する。
次に、顧客用端末５の制御部６１は、顧客用端末５の記憶部６２に広告情報を保存する（Ｓ１０７）。
【００４０】
次に、顧客用端末５の制御部６１は、全てのカテゴリについて処理が終了したかどうか確認する（Ｓ１０８）。
処理が終了していない場合、Ｓ１０４から繰り返す。
処理が終了している場合、Ｓ１０９に進む。
【００４１】
次に、顧客用端末５の制御部６１は、所定の時間だけポーリングを行い（Ｓ１０９）、Ｓ１０１から繰り返す。
このようにして、顧客用端末５の制御部６１は、サーバ３が保持する広告情報が更新されているかを定期的に確認し、更新されていれば、カテゴリ情報に応じて広告情報を取得する。カテゴリ情報に応じて広告情報を取得することで、広告主は、広告効果が高いと判断した地域や時間帯等に限定して広告を表示することができる。
【００４２】
図６は、表示方式決定処理からバナー広告の初期表示処理までの流れを示すフローチャートである。表示方式決定処理は、主に顧客用端末５の表示方式決定手段１５によって行われる。バナー広告の初期表示処理は、主に顧客用端末５のバナー広告表示手段１７によって行われる。
【００４３】
図６に示すように、顧客用端末５の制御部６１は、表示する広告数をカウントする（Ｓ２０１）。すなわち、顧客用端末５の制御部６１は、顧客用端末５の記憶部６２が保持する広告情報の数をカウントする。
【００４４】
次に、顧客用端末５の制御部６１は、広告情報の数に応じて表示方式を決定する（Ｓ２０２）。表示方式とは、広告を何段でスクロール表示するか、または、スクロール表示する際の移動速度等を定めるものである。
【００４５】
図７は、標準の表示方式を示す図である。
図７に示す例は、広告情報の数が５個、ディスプレイの横幅が１０００ｐｉｘｅｌ、広告の横幅が５００ｐｉｘｅｌ、移動速度が１００ｐｉｘｅｌ／ｓであって、広告を右から左へ１段でスクロール表示する場合である。この場合、広告は１秒間に１００ｐｉｘｅｌ移動するから、図７の上図に示す表示状態から５秒経過した状態を示す図７の下図では、最初の広告Ａがディスプレイからはみ出ることになる。また、バナー広告４１は２５秒で１周スクロールし、各広告は１周する間に１０秒間画面上に表示されることになる。
以下の図８、図９では、図７に示す表示方式を標準として、広告情報の数が１０個の場合の表示方式について説明する。
【００４６】
図８は、広告を２段で表示する表示方式を示す図である。
図８に示す例は、広告情報の数が１０個、ディスプレイの横幅が１０００ｐｉｘｅｌ、広告の横幅が５００ｐｉｘｅｌ、移動速度が１００ｐｉｘｅｌ／ｓであって、広告を右から左へ２段でスクロール表示する場合である。この場合、バナー広告４１は２５秒で１周スクロールし、各広告は１周する間に１０秒間画面上に表示されることになり、表示機会、表示時間ともに図７に示す標準の表示方式と同一となる。ここで、表示機会とは、例えば、単位時間当たりの表示回数である。例えば、単位時間を１時間とすると、各広告とも１４４（＝３６００÷２５）回表示されることになる。また、表示時間とは、例えば、単位時間当たりの表示時間である。例えば、単位時間を１時間とすると、各広告とも１４４０（＝３６００÷２５×１０）秒表示されることになる。
【００４７】
図９は、広告を標準移動速度の２倍で表示する表示方式を示す図である。
図９に示す例は、広告情報の数が１０個、ディスプレイの横幅が１０００ｐｉｘｅｌ、広告の横幅が５００ｐｉｘｅｌ、移動速度が２００ｐｉｘｅｌ／ｓであって、広告を右から左へ１段でスクロール表示する場合である。この場合、バナー広告４１は、２５秒で１周スクロールし、各広告は１周する間に５秒間画面上に表示されることになり、表示機会は図７に示す標準の表示方式と同一となる。一方、表示時間は、図７に示す標準の表示方式の２分の１となる。
【００４８】
このように、顧客用端末５の制御部６１は、広告情報の数に応じて、表示する段の増減、または移動速度の増減等を行い、表示方式を決定する。
尚、図８に示した表示方式の場合、前述したように、表示機会、表示時間ともに標準の表示方式と同一にすることができる。但し、ディスプレイの縦幅によって、表示する段の数に上限を設けるようにする。
また、図９に示した表示方式の場合、前述したように、表示機会が標準の表示方式と同一にすることができる。但し、移動速度が速すぎる場合、顧客が広告を認識できなくなるため、移動速度の上限を設けるようにする。
【００４９】
次に、顧客用端末５の制御部６１は、決定した表示方式によって、バナー広告４１をスクロール表示する（Ｓ２０３）。
このようにして、顧客用端末５の制御部６１は、広告情報の数に応じてバナー広告の表示方式を決定する。そして、決定した表示方式によって、広告情報をバナー広告４１としてデスクトップ３１の所定位置にスクロール表示する。広告情報の数に応じてバナー広告の表示方式を決定することで、複数の広告情報に対して、表示機会、表示時間が平等になるように広告を表示することができる。
【００５０】
図１０は、バナー広告表示処理の流れを示すフローチャートである。バナー広告表示処理は、主に顧客用端末５のバナー広告表示手段１７によって行われる。
【００５１】
図１０に示すように、顧客用端末５の制御部６１は、表示画面を監視し（Ｓ３０１）、バナー広告４１以外のウィンドウがアクティブになったかどうか確認する（Ｓ３０２）。ここで、ウィンドウとは、任意のアプリケーションによって表示される画面を全て含む。また、ウィンドウがアクティブであるとは、そのウィンドウが入力や操作の対象となっている状態をいう。一般に、複数のウィンドウが重なっている場合、アクティブなウィンドウは、ＯＳの機能によって最前面に表示されることになる。
バナー広告４１以外のウィンドウがアクティブになっていない場合、Ｓ３０１から繰り返す。
バナー広告４１以外のウィンドウがアクティブになった場合、Ｓ３０３に進む。
【００５２】
次に、顧客用端末５の制御部６１は、バナー広告４１を最前面に表示し（Ｓ３０３）、Ｓ３０１から繰り返す。
【００５３】
図１１は、バナー広告４１がクリックされた場合のデスクトップ３１の１例を示す図である。
図１１に示す例は、リンク先としてＢ社ホームページのＵＲＬ（Ｕｎｉｆｏｒｍ  Ｒｅｓｏｕｒｃｅ  Ｌｏｃａｔｏｒ）が指定されているＢ社広告画像がクリックされた場合である。
図１１に示すように、顧客用端末５の制御部６１は、ブラウザ４３を起動し、ブラウザ４３のウィンドウにＢ社ホームページを表示する。このとき、ブラウザ４３のウィンドウはアクティブになるため、前述した図１０のＳ３０３が実行され、バナー広告４１を最前面に表示する。
尚、図１１では、バナー広告４１がクリックされた場合を例としたが、他の入力操作によってバナー広告４１以外のウィンドウがアクティブになった場合も、同様にバナー広告４１を最前面に表示する。
【００５４】
このようにして、顧客用端末５の制御部６１は、バナー広告４１以外のウィンドウがアクティブになったかどうかを常に監視し、バナー広告４１以外のウィンドウがアクティブになった場合、バナー広告４１を最前面に表示する。これによって、バナー広告４１は、常に顧客の目に入るように表示され、事前に設定した広告機会、広告時間の通り、広告を表示することができる。
【００５５】
以上説明したように、第１の実施の形態によれば、顧客用端末５の制御部６１は、サーバ３からカテゴリ情報に応じて広告情報を取得し、取得した広告情報の数に応じてバナー広告の表示方式を決定する。そして、顧客用端末５の制御部６１は、決定した表示方式によって、広告情報をバナー広告４１としてデスクトップ３１の所定位置にスクロール表示する。また、顧客用端末５の制御部６１は、バナー広告４１以外のウィンドウがアクティブになったかどうかを常に監視し、バナー広告４１以外のウィンドウがアクティブになった場合、バナー広告４１を最前面に表示する。
【００５６】
第１の実施の形態によって、顧客用端末５のデスクトップ３１の一部を、あたかも街の電光掲示板のような広告表示スペースとして利用することができる。そして、バナー広告４１を最前面に表示することで、複数の広告に対して、事前に設定された表示機会、表示時間の通り表示することができる。また、カテゴリ情報に応じて広告情報を取得することで、広告主は、広告効果が高いと判断した地域や時間帯等に限定して広告を表示することができる。さらに、広告情報の数に応じてバナー広告の表示方式を決定することで、複数の広告に対して、表示機会、表示時間が平等になるように表示することができる。
【００５７】
尚、バナー広告４１をクリックしたときの動作は、ウェブページを表示することに限定されない。例えば、顧客用端末５の記憶部６２にインストールされているアプリケーションソフトを起動し、顧客用端末５の記憶部６２が保持するファイルの内容を表示することもできる。
そして、例えば、バナー広告４１をクリックしたときに化粧品等の試供品と交換できるクーポンを表示するようにしても良い。この場合、クーポンはＱＲコード等にして、顧客が携帯電話端末のカメラ機能によって撮影し、店員に提示することで、試供品と交換できるようにすると良い。
このように、コンピュータ貸与サービスで使用される顧客用端末５を利用した広告表示システム１では、ウェブページ上のバナー広告ではできない特有のサービスを提供することができる。
【００５８】
次に、第２の実施の形態について説明する。
図１２は、広告表示システム１ａの構成図である。
広告表示システム１ａは、サーバ３、複数の顧客用端末５ａがネットワーク９を介して接続されて構成される。
尚、図１に示す構成要素と同一の機能を果たす要素には、同一の番号を付して重複した説明を避ける。
【００５９】
サーバ３は、広告情報保持手段１１等を備える。
受付用端末７は、パーソナルコンピュータ等であり、コンピュータ貸与サービスを行う店舗の受付に設置される。受付用端末７は、顧客受付手段２１等を備える。顧客受付手段２１は、顧客用端末５ａを利用する顧客の受付を行う。
【００６０】
顧客用端末５ａは、パーソナルコンピュータ等であり、コンピュータ貸与サービスを行う店舗に設置される。通常、複数の顧客用端末５ａがネットワーク９に接続される。顧客用端末５ａは、顧客情報取得手段２３、広告情報取得手段１３ａ、表示方式決定手段１５、バナー広告表示手段１７、操作ログ保持手段２５等を備える。
【００６１】
顧客情報取得手段２３は、受付用端末７から、顧客情報を取得する。広告情報取得手段１３ａは、顧客情報を含むカテゴリ情報に応じて広告情報を取得する。操作ログ保持手段２５は、バナー広告に対するクリック操作ログを顧客情報と紐付けて保持する。
【００６２】
次に、図３、図４、図１３を参照しながら、サーバ３、顧客用端末５ａ、受付用端末７のハードウェア構成について説明する。
【００６３】
図３は、サーバ３のハードウェア構成図である。
サーバ３のハードウェア構成は、第１の実施の形態におけるサーバ３と同様である。
【００６４】
図４は、顧客用端末５ａのハードウェア構成図である。
顧客用端末５ａのハードウェア構成は、第１の実施の形態における顧客用端末５と同様である。
【００６５】
図１３は、受付用端末７のハードウェア構成図である。
尚、図１３のハードウェア構成は一例であり、用途、目的に応じて様々な構成を採ることが可能である。
【００６６】
受付用端末７は、制御部７１、記憶部７２、メディア入出力部７３、通信制御部７４、入力部７５、表示部７６、周辺機器Ｉ／Ｆ部７７等が、バス７８を介して接続されて構成される。
受付用端末７のハードウェア構成は、図３を用いて前述したサーバ３と同様の構成を採ることから、詳細な説明を省略する。
【００６７】
次に、図１４、図１５、図５、図６、図１０、図１６を参照しながら、広告表示システム１ａの動作について説明する。
【００６８】
図１４は、顧客受付処理の流れを示すフローチャートである。顧客受付処理は、主に受付用端末７の顧客受付手段２１によって行われる。
【００６９】
図１４に示すように、受付用端末７の制御部７１は、顧客ＩＤが入力されると（Ｓ４０１）、顧客情報の照合を行う（Ｓ４０２）。顧客情報の照合は、例えば、コンピュータ貸与サービスを行う企業のサーバ等から取得した顧客情報の一覧データの中に、入力された顧客ＩＤが存在するかどうかによって行う。
【００７０】
次に、受付用端末７の制御部７１は、照合結果が正しいかどうか確認する（Ｓ４０３）。
照合結果が正しくない場合、処理を終了する。
照合結果が正しい場合、Ｓ４０４に進む。
【００７１】
次に、受付用端末７の制御部７１は、顧客用端末５ａの利用有無が入力されると、顧客用端末５ａの利用があるかどうか確認する（Ｓ４０４）。
利用がない場合、処理を終了する。
利用がある場合、Ｓ４０５に進む。
【００７２】
次に、受付用端末７の制御部７１は、利用する顧客用端末５ａを決定する（Ｓ４０５）。
次に、受付用端末７の制御部７１は、入力された顧客ＩＤと顧客用端末５ａの紐付け結果を保存する（Ｓ４０６）。顧客ＩＤと顧客用端末５ａとの紐付けは、顧客用端末５ａを特定する情報、例えば、ＩＰアドレス等によって行う。
このようにして、受付用端末７の制御部７１は、顧客用端末５ａを利用する顧客の顧客ＩＤを紐付けて保存しておき、図１５の説明にて後述する顧客情報取得処理の際に、顧客情報を特定できるようにしておく。
【００７３】
図１５は、顧客情報取得処理の流れを示すフローチャートである。顧客情報取得処理は、主に顧客用端末５ａの顧客情報取得処理２３によって行われる。
【００７４】
図１５に示すように、顧客用端末５ａの制御部６１は、受付用端末７に顧客情報取得命令を送信する（Ｓ５０１）。顧客情報取得命令は、自らの顧客用端末５ａを特定する情報、例えば、ＩＰアドレス等を含む。
【００７５】
次に、受付用端末７の制御部７１は、顧客用端末５ａに顧客情報を送信する（Ｓ５０２）。受付用端末７の制御部７１は、受信した顧客情報取得命令に含まれる顧客用端末５ａを特定する情報から、事前に保存している顧客ＩＤとの紐付け結果を参照し、顧客情報を特定する。
【００７６】
次に、顧客用端末５ａの制御部６１は、顧客情報を保存し（Ｓ５０３）、処理を終了する。
このようにして、顧客用端末５ａの制御部６１は、図５の説明にて後述する広告情報取得処理の際に、顧客情報を利用できるようにしておく。
【００７７】
図５は、広告情報取得処理の流れを示すフローチャートである。広告情報取得処理は、主に顧客用端末５ａの広告情報取得手段１３ａによって行われる。
第２の実施の形態では、第１の実施の形態と比して、図５のＳ１０４で示すカテゴリとして、「性別」、「年齢層」、「趣味・関心」等の顧客情報を更に用いる。これによって、広告主は、広告効果が高いと判断した性別や年齢層等に限定して広告を表示させることができる。
尚、他の処理は、第１の実施の形態と同様である。
【００７８】
図６は、表示方式決定処理からバナー広告の初期表示処理までの流れを示すフローチャートである。表示方式決定処理は、主に顧客用端末５ａの表示方式決定手段１５によって行われる。バナー広告の初期表示処理は、主に顧客用端末５ａのバナー広告表示手段１７によって行われる。
処理の内容は、第１の実施の形態と同様である。
【００７９】
図１０は、バナー広告表示処理の流れを示すフローチャートである。バナー広告表示処理は、主に顧客用端末５ａのバナー広告表示手段１７によって行われる。
処理の内容は、第１の実施の形態と同様である。
【００８０】
図１６は、操作ログ保存処理の流れを示すフローチャートである。操作ログ保存処理は、主に顧客用端末５ａの操作ログ保持手段２５によって行われる。
【００８１】
図１６に示すように、顧客用端末５ａの制御部６１は、入力操作を監視し（Ｓ６０１）、バナー広告４１がクリックされたかどうか確認する（Ｓ６０２）。
クリックされていない場合、Ｓ６０１から繰り返す。
クリックされた場合、Ｓ６０３に進む。
【００８２】
次に、顧客用端末５ａの制御部６１は、顧客情報、日時情報とともに広告ＩＤを保持し（Ｓ６０３）、Ｓ６０１から繰り返す。
このようにして、顧客用端末５ａの制御部６１は、バナー広告４１がクリックされた場合、顧客情報、日時情報とともに広告ＩＤを操作ログとして保存する。保存された操作ログは、広告主に提示することもできるし、次回以降の広告表示の際に参照して顧客ごとに最適な広告を表示することもできる。
【００８３】
以上説明したように、第２の実施の形態によれば、顧客用端末５ａの制御部６１は、受付用端末７から顧客情報を取得し、サーバ３から顧客情報を含むカテゴリ情報に応じて広告情報を取得する。そして、顧客用端末５ａの制御部６１は、取得した広告情報の数に応じてバナー広告の表示方式を決定し、決定した表示方式によって、広告情報をバナー広告４１としてデスクトップ３１の所定位置にスクロール表示する。また、顧客用端末５ａの制御部６１は、バナー広告４１以外のウィンドウがアクティブになったかどうかを常に監視し、バナー広告４１以外のウィンドウがアクティブになった場合、バナー広告４１を最前面に表示する。さらに、顧客用端末５ａの制御部６１は、バナー広告４１がクリックされた場合、顧客情報、日時情報とともに広告ＩＤを操作ログとして保存する。
【００８４】
第２の実施の形態によって、受付用端末７から取得した顧客情報を利用することで、広告主は、広告効果が高いと判断した性別や年齢層等に限定して広告を表示させることができる。更に、バナー広告４１がクリックされた場合、顧客情報、日時情報とともに広告ＩＤを操作ログとして保存することで、操作ログを次回以降の広告表示の際に参照して顧客ごとに最適な広告を表示することもできる。
【００８５】
以上、添付図面を参照しながら、本発明に係る広告表示システム等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【図面の簡単な説明】
【００８６】
【図１】広告表示システム１の構成図
【図２】バナー広告４１の表示の一例を示す図
【図３】サーバ３のハードウェア構成図
【図４】顧客用端末装置５のハードウェア構成図
【図５】広告情報取得処理の流れを示すフローチャート
【図６】表示方式決定処理からバナー広告の初期表示処理までの流れを示すフローチャート
【図７】標準の表示方式を示す図
【図８】広告を２段で表示する表示方式を示す図
【図９】広告を標準移動速度の２倍で表示する表示方式を示す図
【図１０】バナー広告表示処理の流れを示すフローチャート
【図１１】バナー広告４１がクリックされた場合のデスクトップ３１の１例を示す図
【図１２】広告表示システム１ａの構成図
【図１３】受付用端末７のハードウェア構成図
【図１４】顧客受付処理の流れを示すフローチャート
【図１５】顧客情報取得処理の流れを示すフローチャート
【図１６】操作ログ保存処理の流れを示すフローチャート
【符号の説明】
【００８７】
１、１ａ………広告表示システム
３………サーバ
５、５ａ………顧客用端末
７………受付用端末
１１………広告情報保持手段
１３、１３ａ………広告情報取得手段
１５………表示方式決定手段
１７………バナー広告表示手段
２１………顧客受付手段
２３………顧客情報取得手段
２５………操作ログ保持手段
３１………デスクトップ
４１………バナー広告
【図１】
2008287583.tif 000003
【図２】
2008287583.tif 000004
【図３】
2008287583.tif 000005
【図４】
2008287583.tif 000006
【図５】
2008287583.tif 000007
【図６】
2008287583.tif 000008
【図７】
2008287583.tif 000009
【図８】
2008287583.tif 000010
【図９】
2008287583.tif 000011
【図１０】
2008287583.tif 000012
【図１１】
2008287583.tif 000013
【図１２】
2008287583.tif 000014
【図１３】
2008287583.tif 000015
【図１４】
2008287583.tif 000016
【図１５】
2008287583.tif 000017
【図１６】
2008287583.tif 000018